(57)【要約】      （修正有）【課題】金銭を収容して金封として用いることが可能であって、金封として利用した後も使用することができるポケットティッシュを提供する。【解決手段】積層した複数枚のティッシュペーパー２を矩形状となるシート材３で包装したポケットティッシュ１であって、シート材３は、ティッシュペーパーを載置する下部分４と、短手方向に沿って下部分の一端縁５で折り返されてティッシュペーパーを覆う内側上部分６と、短手方向に沿って下部分の他端縁７で折り返されて内側上部分を覆う外側上部分８とを有するとともに、シート材の長手方向に沿う下部分の両端縁９、１０が、内側上部分及び外側上部分と固着され、内側上部分の端縁１１は、下部分の他端縁７に近接する位置まで延在、又は他端縁７と固着されている。【選択図】図１
0003200913.tif 000002
【実用新案登録請求の範囲】
【請求項１】
積層した複数枚のティッシュペーパーを矩形状となるシート材で包装したポケットティッシュであって、
前記シート材は、前記ティッシュペーパーを載置する下部分と、該シート材の短手方向に沿う該下部分の一端縁で折り返されて該ティッシュペーパーを覆う内側上部分と、該シート材の短手方向に沿う該下部分の他端縁で折り返されて該内側上部分を覆う外側上部分とを有するとともに、該シート材の長手方向に沿う該下部分の両端縁が、該内側上部分及び該外側上部分と固着されるものであり、
前記内側上部分の端縁は、前記下部分の他端縁に近接する位置まで延在している、又は前記下部分の他端縁と固着されていることを特徴とするポケットティッシュ。
【請求項２】
前記外側上部分及び前記内側上部分の少なくとも一方に、他方と固着する固着手段を備える請求項１に記載のポケットティッシュ。
【請求項３】
積層した複数枚のティッシュペーパーを矩形状となるシート材で包装したポケットティッシュであって、
前記シート材は、前記ティッシュペーパーを載置する下部分と、該シート材の短手方向に沿う該下部分の一端縁で折り返されて該ティッシュペーパーを覆う内側上部分と、該シート材の短手方向に沿う該下部分の他端縁で折り返されて該内側上部分を覆う外側上部分とを有するとともに、該シート材の長手方向に沿う該下部分の両端縁が、該内側上部分及び該外側上部分と固着されるものであって、
前記外側上部分の下面及び前記内側上部分の上面の少なくとも一方に、前記外側上部分の端縁側を開口させた収納部を有するポケットティッシュ。
【考案の詳細な説明】
【技術分野】
【０００１】
本考案は、積層した複数枚のティッシュペーパーをシート材で包装したポケットティッシュに関し、お年玉袋（ポチ袋）のように金銭を納める袋（金封）として用いることのできるポケットティッシュに関する。
【背景技術】
【０００２】
従来、複数枚のティッシュペーパーを束ねて積層し、それらをシート材で包み込んだポケットティッシュが知られている。このようなものとして特許文献１の図１には、シート材の中央部分に積層したティッシュペーパーを載置し、シート材の一方の端部を折り返してティッシュペーパーを覆い、もう一方の端部を先に折り返したシート材に重なるように折り返したポケットティッシュが示されている。このようなポケットティッシュによれば、二つの端部が重なる領域に形成される収容空間に対して、広告紙等の薄手のものを挿入しておくことができる。
【先行技術文献】
【特許文献】
【０００３】
【特許文献１】実開昭５３−０３０４７９号公報
【考案の概要】
【考案が解決しようとする課題】
【０００４】
ところで、お年玉袋（ポチ袋）のように金銭を納める袋（金封）は、受け渡された後は再利用されずにすぐに廃棄されることが多いため、資源の有効利用及び自然保護の観点で問題を抱えている。
【０００５】
ここで考案者は、特許文献１のようなポケットティッシュを金封として利用することに思い及んだ。すなわち、このようなポケットティッシュの収容空間に金銭を入れることで、これを金封として用いることができる。また、金封として受け渡された後は、ポケットティッシュとして使用することができるため、すぐに廃棄されてしまうこともなくなるという利点がある。
【０００６】
しかし、このような従来のポケットティッシュは、特許文献１の第１図に示されている如く、重なる部分の内側に位置する端部の長さが短くなっていて、この内側に位置する端部の端縁と外側に位置する端部の折り返し部分との間には、隙間が存在している。このため、収容空間に硬貨を入れると、ポケットティッシュを持ち運ぶ際に硬貨が移動してこの隙間からティッシュペーパーが配置されている空間内に入り込んでしまい、硬貨が取り出せなくなることがあった。
【０００７】
本考案は、このような問題点を解決することを課題とするものであり、種類を問わずに金銭を収容することが可能であって、金封として利用した後も使用することができるポケットティッシュを提供することを目的とする。
【課題を解決するための手段】
【０００８】
本考案は、積層した複数枚のティッシュペーパーを矩形状となるシート材で包装したポケットティッシュであって、
前記シート材は、前記ティッシュペーパーを載置する下部分と、該シート材の短手方向に沿う該下部分の一端縁で折り返されて該ティッシュペーパーを覆う内側上部分と、該シート材の短手方向に沿う該下部分の他端縁で折り返されて該内側上部分を覆う外側上部分とを有するとともに、該シート材の長手方向に沿う該下部分の両端縁が、該内側上部分及び該外側上部分と固着されるものであり、
前記内側上部分の端縁は、前記下部分の他端縁に近接する位置まで延在している、又は前記下部分の他端縁と固着されていることを特徴とするポケットティッシュである。
【０００９】
また前記外側上部分及び前記内側上部分の少なくとも一方に、他方と固着する固着手段を備えることが好ましい。
【００１０】
また本考案は、積層した複数枚のティッシュペーパーを矩形状となるシート材で包装したポケットティッシュであって、
前記シート材は、前記ティッシュペーパーを載置する下部分と、該シート材の短手方向に沿う該下部分の一端縁で折り返されて該ティッシュペーパーを覆う内側上部分と、該シート材の短手方向に沿う該下部分の他端縁で折り返されて該内側上部分を覆う外側上部分とを有するとともに、該シート材の長手方向に沿う該下部分の両端縁が、該内側上部分及び該外側上部分と固着されるものであって、
前記外側上部分の下面及び前記内側上部分の上面の少なくとも一方に、前記外側上部分の端縁側を開口させた収納部を有するポケットティッシュであってもよい。
【考案の効果】
【００１１】
本考案のポケットティッシュは、ティッシュペーパーを包装するシート材が、ティッシュペーパーを載置する下部分と、下部分の一端縁で折り返されてティッシュペーパーを覆う内側上部分と、下部分の他端縁で折り返されて内側上部分を覆う外側上部分とを有するものであって、内側上部分の端縁は、下部分の他端縁に近接する位置まで延在しているか、又は下部分の他端縁と固着されている。このため、内側上部分と外側上部分との間に形成される収容空間に硬貨を入れても、これがティッシュペーパーを収容する空間に入り込むことはない。
【００１２】
外側上部分及び内側上部分の少なくとも一方に、他方と固着する固着手段を設ける場合は、収容空間に入れた硬貨等がポケットティッシュから落ちてしまうことがないため、使い勝手が良くなる。
【００１３】
また本考案のポケットティッシュにあっては、外側上部分の下面及び内側上部分の上面の少なくとも一方に、外側上部分の端縁側を開口させた収納部を有するものであってもよい。この場合は、従来のポケットティッシュのように、内側上部分の端縁が下部分の他端縁から離隔するものであっても、収納部に入れた硬貨がティッシュペーパーを収容する空間に入り込むことがない。
【図面の簡単な説明】
【００１４】
【図１】本考案に従うポケットティッシュの一実施形態を示す、（ａ）は平面図であり、（ｂ）は背面図であり、（ｃ）は（ｂ）に示すＡ−Ａに沿う断面図（厚みを誇張して示す）である。
【図２】図１に示すポケットティッシュの収納空間に向けて硬貨を挿入し、その後、粘着テープで収納空間を閉じる様子を説明する図である。
【図３】本考案に従うポケットティッシュの他の実施形態を示す、（ａ）は背面図であり、（ｂ）は（ａ）に示すＢ−Ｂに沿う断面図（厚みを誇張して示す）である。
【図４】本考案に従うポケットティッシュの更に他の実施形態を示す、（ａ）は背面図であり、（ｂ）は（ａ）に示すＣ−Ｃに沿う断面図（厚みを誇張して示す）である。
【考案を実施するための形態】
【００１５】
以下、図面を参照して、本考案に従う受け部材の一実施形態について説明する。なお、本明細書、実用新案登録請求の範囲、及び要約書における「上」、「下」の関係は、図１（ｃ）に示すように、シート材の重なった部分が上になる状態での位置関係をいう。
【００１６】
図１において、符号１は本考案に従うポケットティッシュの一実施形態を示す。ポケットティッシュ１は、積層した複数枚のティッシュペーパー２と、ティッシュペーパー２を包むシート材３とで構成されている。なおティッシュペーパー２は、既知のポケットティッシュに用いられるものをそのまま適用することができるため、詳細な説明は省略する。
【００１７】
シート材３は、例えば薄手のプラスチックシートで構成されるものであり、ティッシュペーパー２を包む前は矩形状をなすものである。図１（ｃ）に示すようにシート材３は、ティッシュペーパー２を載置する下部分４を備えている。また、シート材３の短手方向（図１（ｂ）参照）に沿う下部分４の一端縁５には、この一端縁５で折り返されてティッシュペーパー２を覆う内側上部分６が設けられ、シート材３の短手方向に沿う下部分４の他端縁７には、この他端縁７で折り返されて内側上部分６を覆う外側上部分８が設けられている。
【００１８】
そして、内側上部分６と外側上部分８とが重ねられた後、シート材３の長手方向（図１（ｂ）参照）に沿う下部分４の端縁９及び端縁１０は、内側上部分６及び外側上部分８と固着される。なお固着は、熱を加えてこれらを溶着させるものであっても、接着剤等によってこれらを接着するものであってもよく、既知の手段を適宜使用することができる。
【００１９】
このようにしてティッシュペーパー２を包装した状態において、図１（ｃ）に示すように内側上部分６の端縁１１は、下部分４の他端縁７に近接する位置まで延在している。これにより、内側上部分６と外側上部分８との間に形成される収容空間１２を、ティッシュペーパー２を収容する空間１３とは分離して設けることができる。なお、内側上部分６の端縁１１は、端縁９及び端縁１０と同様に、下部分４の他端縁７と固着させてもよい。
【００２０】
また、図１（ａ）に示すように下部分４には、シート材３の短手方向に沿って延在するミシン目１４が設けられていて、このミシン目１４に沿って下部分４を割くことによってティッシュペーパー２を取り出すための取出口を形成することができる。また下部分４には、例えばお年玉のような文字や干支に関係する図などを印刷しておいてもよい。
【００２１】
このように形成されるポケットティッシュ１にあっては、図２に示すように収容空間１２に向けて硬貨Ｃなどを挿入することができる。この場合であっても、内側上部分６の端縁１１は下部分４の他端縁７に近接する位置まで延在しているため、硬貨Ｃがティッシュペーパー２を収容する空間１３に入り込むことはない。そして、収容空間１２に硬貨Ｃを収容した後は、例えば粘着テープＴなどを外側上部分８の上面に貼り付けて、外側上部分８と内側上部分６とを固着すれば、硬貨Ｃが収容空間１２から落ちてしまうことはない。
【００２２】
次に本考案に従うポケットティッシュの他の実施形態について、図３を参照しながら説明する。なお、前述のポケットティッシュ１と同一の機能を有する部分は、図面に同一の符号を付して詳細な説明を省略する。
【００２３】
本実施形態のポケットティッシュ１’は、外側上部分８の下面に対し、外側上部分８を内側上部分６に固着させる固着手段を設けたものである。本実施形態にあっては、剥離紙１５を備える両面テープ１６を外側上部分８の下面に貼り付けている。これにより、収容空間１２に上述した硬貨Ｃなどを収納した後は、剥離紙１５を剥がせば外側上部分８を内側上部分６に固着させることができる。なお両面テープ１６は、内側上部分６の上面に設けてもよい。また固着手段としては、指などで押さえながらスライドさせることで閉じることのできるファスナーなどを用いてもよい。
【００２４】
更に本考案に従うポケットティッシュは、図４に示すポケットティッシュ１’’の如きものであってもよい。本実施形態のポケットティッシュ１’’は、ポケットティッシュ１とは相異し、従来のポケットティッシュのように内側上部分６の端縁１１が下部分４の他端縁７から離隔しているものである。また、外側上部分８の下面には、外側上部分８の端縁側を開口させた袋状の収納部１７が設けられている。
【００２５】
このようなポケットティッシュ１’’にあっては、内側上部分６の端縁１１と下部分４の他端縁７との間に隙間があって、収容空間１２はティッシュペーパー２を収容する空間１３とつながっているものの、硬貨Ｃを収納部１７に挿入することによって硬貨Ｃが空間１３へ入り込むことはない。なお収納部１７は、内側上部分６の上面に設けてもよい。また、収納部１７の開口部分には、両面テープやファスナーなどの固着手段を設けてもよい。また、収納部１７を設ける場合であっても、内側上部分６の端縁１１を下部分４の他端縁７に近接させてもよい。
【００２６】
本考案に従うポケットティッシュは、前述の実施形態に限定されるものではなく、実用新案登録請求の範囲に従う範囲で種々の変更が可能である。例えば前述の実施形態間で、それらの構成要素を適宜置き換えてもよく、また、他の構成要素を追加してもよい。
【産業上の利用可能性】
【００２７】
本考案のポケットティッシュにあっては、お年玉袋（ポチ袋）として用いるだけでなく、例えばシート材の材質や装飾を変えることによって、冠婚葬祭用の金封としても用いることができる。また金銭だけでなく、各種の小物やカードなどを入れるものとして用いることも可能である。
【符号の説明】
【００２８】
１、１’、１’’：ポケットティッシュ
２：ティッシュペーパー
３：シート材
４：下部分
５：シート材の短手方向に沿う下部分の一端縁
６：内側上部分
７：シート材の短手方向に沿う下部分の他端縁
８：外側上部分
９：シート材の長手方向に沿う下部分の端縁
１０：シート材の長手方向に沿う下部分の端縁
１１：内側上部分の端縁
１２：収容空間
１３：ティッシュペーパーを収容する空間
１４：ミシン目
１５：剥離紙
１６：両面テープ
１７：収納部
Ｃ：硬貨
Ｔ：粘着テープ
【図１】
0003200913.tif 000003
【図２】
0003200913.tif 000004
【図３】
0003200913.tif 000005
【図４】
0003200913.tif 000006